(57)【特許請求の範囲】
【請求項１】
正面開口と側面開口を設けた箱形のケーシングの内壁面に繞設した吸音材と、この吸音材で繞設した空間を、送風機用の第一の空間と、吐出通路用の第二の空間とするとともに、この第一の空間を、この第二の空間で略Ｌ字形に抱持する構成とし、
この第一の空間に、吸込口と吹出口並びに羽根車を備えた送風機を設け、この送風機の吸込口を前記正面開口とし、また前記吹出口を、前記ケーシングの吐出通路の吸込口に連通するとともに、この吐出通路の吐出口を前記側面開口とする構成とし、
前記吸込口から吸込まれた空気を、前記吹出口から前記吐出通路を経由して前記吐出口に向かって送風するとともに、この吐出口から送風される空気の騒音を、前記内壁面に設けた前記吸音材で吸音可能とする構成とした送風機用の低騒音ファン装置。
【請求項２】
請求項１に記載した吐出口の外寸を、吐出通路に設けた吸音材の内径と略同じにする構成とした送風機用の低騒音ファン装置。
【請求項３】
請求項１に記載したケーシングの正面開口に吸込通路を付設し、この吸込通路の内壁面に吸音材を設ける構成とした送風機用の低騒音ファン装置。
【発明の詳細な説明】
【技術分野】
【０００１】
本発明は、洗車機、工場等に配備された送風機用の低騒音ファン装置に関する。
【背景技術】
【０００２】
従来の、洗車機、工場等に配備された送風機は、渦巻状のケーシングに設けた吸込口から、このケーシング内に吸込んだ空気を、略９０度方向に方向変換した後、その吹出口から吐出（圧送）する構造である。従って、今日の生活、工場等の環境、住宅事情や、地域事情等の各種の状況より、騒音が問題になる場合が多いことから、その改良が急務である。
【０００３】
そして、例えば、この種の送風機による騒音問題が緊急を要する身近な問題として取り上げられるのが、車輌の洗浄（洗車）及び／又は乾燥用として利用されている洗車機による騒音である。この理由の一例を説明すると、近時、これらの洗車機が、住居、文教地区等の地域に設置されることと、これに加えて深夜営業が行われること等で、この地域の住環境に悪影響を与えることが指摘されている。またこの騒音問題は、洗車機に限らず、例えば、工場等の作業現場において取り上げられる騒音である。そして、近時、工場の作業環境の改善と、効率的な作業を確保するために、この騒音問題解決は必要不可欠な条件である。
【０００４】
以上のような状況に鑑み、本発明は、洗車機に限定されず工場等に設置される送風機に関する騒音問題として捉え、広い範囲で検索した結果を踏まえて、関連する先行文献を挙げると、次の文献（１）〜（３）があるので、その概要を説明する。先ず、洗車機としては、文献（１）の実開昭６２−１１７１５８号の「洗車機における乾燥用の送風装置」がある。この考案は、夜間等の洗車機の駆動に対する騒音問題を取り上げており、そのための改良として、送風機のダクトの分岐部における空気の吸込み音による騒音を解消するものであり、具体的には、ケーシングから分離、独立したダクトの分岐部に多孔板と吸音材を付設した構成である。そして、この考案は、ケーシングとダクトを、分離、独立する構成を採用しつつ、このダクトに個別に多孔板と吸音材を付設した構成である。従って、その防音効果（吸音効果）は個別に達成されるに留まり、全体的な騒音防止（防音又は吸音）を図るには、十分とは考えられない。そして、近時、この種の洗車機で要望されている防音効果（防音とする）を達成するには、必ずしも十分とは云えないものと考えられる。そして、この考案の表題が意図する洗車機においては、近時、ガソリンスタンドの近傍に住宅が築造される状況（環境、住宅事情、ライフサイクル等）及び／又は２４時間営業が増加する傾向にある昨今の状況等を考慮した場合には、この騒音問題の解決が急務と考えられる。
【０００５】
また洗車機の他の例としては、文献（２）の実開昭６２−５２０６６号の「洗車機における低騒音送風装置」がある。この考案は、騒音防止を図るものであり、そのための改良として、送風機を内蔵した渦巻状のケーシングの内壁面に多孔板と吸音材を付設した構成である。このような構成を採用するこの考案では、常識的に判断するとごく一部の騒音防止に留まっているとともに、ケーシング全体に対する騒音防止の装置とは考えられない。従って、近時、この種の洗車機で要望されている防音効果を達成するには、必ずしも十分とは云えないものであり、前記文献（１）と同じ問題点を抱えている。
【０００６】
次に工場における送風機として、文献（３）の特開平６−１１７６５８号の「空気調和機」がある。この発明の空気調和機は、ファンケースの背板に重畳するように、ケーシングに防音材を付設した背面を設け、所謂、このファンケースの背板側を二重構造とした。これにより、この送風機の運転時における、電動機、羽車又は送風される風等の振動は、ケーシングの背面に伝達される。しかし、この背面にはファンケースの背板が重ねられており、実質的に二重の構造であるので、背面が補強されて振動が抑制され、この送風機の駆動による防音効果が図れる。しかし、この発明はケーシングに防音材を付設した背面による防音効果であり、送風機全体の防音を期待するには問題があるものと考えられる。
【０００７】
【特許文献１】実開昭６２−１１７１５８号
【特許文献２】実開昭６２−５２０６６号
【特許文献３】特開平６−１１７６５８号
【発明の開示】
【発明が解決しようとする課題】
【０００８】
以上の文献（１）、（２）において、防音は期待できる。しかし、文献（１）、（２）は、ケーシング内の一部の防音であり、送風機全体の防音を図るには、構造上で改良すべき幾つかの技術的な問題が残っている。また文献（３）においては、ファンケースの背面に背板を設け、この背板に吸音材を付設した構成であり、前記文献（１）、（２）と同様に、一部の防音であり、空気調和機全体の防音を図るには、必ずしも十分とは考えられず、構造上で改良すべき幾つかの技術的な問題が残っている。
【０００９】
上記に鑑み本発明は、ケーシングの内壁面に吸音材を繞設し、このケーシング内に送風機と吐出通路を内蔵し、送風機全体の防音効果の拡充を図りつつ、深夜、住宅地、文教地区等の静寂が要求される状況及び／又は地域での設置が可能となった送風機用の低騒音ファン装置を提供することを意図する。また工場における防音対策の実効性を確保し、職場環境の向上と、作業者の健康維持を図ることを意図する。そして、ケーシングの内壁面及び／又は吐出通路に吸音材を繞設した構成であっても、送風機に吸込まれた空気を確実かつ略均等に吹出口に誘導し、この吹出口より吐出通路を経由し、この吐出通路の吐出口より図示しないダクトを介して高圧風を確実かつ略均等に吹出すことで、例えば、洗車・調温等の効率化及び／又は各所の騒音防止と、送風機の耐久性の向上、又は一箇所に強風（高圧風）が吐出（吹出）される弊害（吹出による騒音、損傷、人的被害等）の解消等を図ることを意図する。
【課題を解決するための手段】
【００１０】
請求項１の発明は、内壁面に吸音材を繞設したケーシング内に送風機と吐出通路を内蔵し、この送風機全体の防音効果の拡充を図りつつ、深夜、住宅地、文教地区等の静寂が要求される状況及び／又は地域（環境下）での設置が可能な送風機用の低騒音ファン装置の提供を意図する。また工場における防音対策の実効性を確保し、職場環境の向上と、作業者の健康維持を図ることを意図する。そして、ケーシングの内壁面及び／又は吐出通路に吸音材を繞設した構成を採用した構造でも、送風機に吸込まれた空気を確実かつ略均等に吹出口に誘導し、この吹出口より吐出通路へ、また、この吐出通路の吐出口よりダクトを介して外部へ高圧風を確実かつ略均等に吹出すことで、例えば、洗車・調温等の効率化及び／又は各所の騒音防止と、送風機の耐久性の向上、又は一箇所に強風が吐出される弊害の解消等を図ること等を意図する。
【００１１】
請求項１は、正面開口と側面開口を設けた箱形のケーシングの内壁面に繞設した吸音材と、この吸音材で繞設した空間を、送風機用の第一の空間と、吐出通路用の第二の空間とするとともに、この第一の空間を、この第二の空間で略Ｌ字形に抱持する構成とし、
この第一の空間に、吸込口と吹出口並びに羽根車を備えた送風機を設け、この送風機の吸込口を前記正面開口とし、また前記吹出口を、前記ケーシングの吐出通路の吸込口に連通するとともに、この吐出通路の吐出口を前記側面開口とする構成とし、
前記吸込口から吸込まれた空気を、前記吹出口から前記吐出通路を経由して前記吐出口に向かって送風するとともに、この吐出口から送風される空気の騒音を、前記内壁面に設けた前記吸音材で吸音可能とする構成とした送風機用の低騒音ファン装置である。
【００１２】
【００１３】
【００１４】
【００１５】
【００１６】
請求項２の発明は、請求項１の目的を達成すること、また、この目的を達成するのに最適な吐出通路及び／又は吐出口の構成を提供することを意図する。
【００１７】
請求項２は、請求項１に記載した吐出口の外寸を、吐出通路に設けた吸音材の内径と略同じにする構成とした送風機用の低騒音ファン装置である。
【００１８】
請求項３の発明は、請求項１の目的を達成すること、また、この目的を達成するのに最適な吸込通路及び／又は吸込口の構成を提供することを意図する。
【００１９】
請求項３は、請求項１に記載したケーシングの正面開口に吸込通路を付設し、この吸込通路の内壁面に吸音材を設ける構成とした送風機用の低騒音ファン装置である。
【発明の効果】
【００２０】
請求項１の発明は、正面開口と側面開口を設けた箱形のケーシングの内壁面に繞設した吸音材と、吸音材で繞設した空間を、送風機用の第一の空間と、吐出通路用の第二の空間とするとともに、第一の空間を、第二の空間で略Ｌ字形に抱持する構成とし、
第一の空間に、吸込口と吹出口並びに羽根車を備えた送風機を設け、送風機の吸込口を前記正面開口とし、また吹出口を、ケーシングの吐出通路の吸込口に連通するとともに、吐出通路の吐出口を側面開口とする構成とし、
吸込口から吸込まれた空気を、吹出口から吐出通路を経由して吐出口に向かって送風するとともに、吐出口から送風される空気の騒音を、内壁面に設けた吸音材で吸音可能とする構成とした送風機用の低騒音ファン装置である。
【００２１】
従って、請求項１は、内壁面に吸音材を繞設したケーシング内に送風機と吐出通路を内蔵し、この送風機全体の防音効果の拡充を図りつつ、深夜、住宅地、文教地区等の静寂が要求される環境下での設置が可能な送風機用の低騒音ファン装置を提供できる実益がある。また工場における防音対策の実効性を確保し、職場環境の向上と、作業者の健康維持が図れる利点がある。そして、ケーシングの内壁面及び／又は吐出通路に吸音材を繞設した構成を採用した構造でも、送風機に吸込まれた空気を確実かつ略均等に吹出口に誘導し、この吹出口より吐出通路へ、また、この吐出通路の吐出口よりダクトを介して外部へ風を確実かつ略均等に吹出すことで、例えば、洗車・調温等の効率化及び／又は各所の騒音防止と、送風機の耐久性の向上、又は一箇所に強風が吐出される弊害の解消等が図れること等の特徴がある。
【００２２】
【００２３】
【００２４】
【００２５】
【００２６】
請求項２の発明は、請求項１に記載した吐出口の外寸を、吐出通路に設けた吸音材の内径と略同じにする構成とした送風機用の低騒音ファン装置である。
【００２７】
従って、請求項２は、請求項１の目的を達成できること、この目的を達成するのに最適な吐出通路及び／又は吐出口の構成を提供できること等の特徴がある。
【００２８】
請求項３の発明は、請求項１に記載したケーシングの正面開口に吸込通路を付設し、この吸込通路の内壁面に吸音材を設ける構成とした送風機用の低騒音ファン装置である。
【００２９】
従って、請求項３は、請求項１の目的を達成できること、また、この目的を達成するのに最適な吸込通路及び／又は吸込口の構成を提供できること等の特徴がある。
【発明を実施するための最良の形態】
【００３０】
以下、本発明の実施の態様（形態）を説明する。
図面の説明をすると、図１は送風機全体の実施例を示した正面図、図２はその側面図、図３は他の実施例の側面図、図４は洗車機に本発明を採用した一例を示す模式図である。
【００３１】
１は箱型のケーシングで、このケーシング１には正面開口１００と側面開口１０１を設ける。そして、このケーシング１の内壁面１ａには吸音材２を繞設して空間３を形成する。即ち、ケーシング１の内（外）で発生する騒音（送風による騒音及び／又は振動による騒音等）をこの吸音材２で効率的に吸音すること、また振動に起因するネジの螺戻及び／又は溶接疲労等を回避すること等を意図する。またこの空間３を略方形状の第一の空間３００と、この第一の空間３００を略Ｌ字形に抱持する第二の空間３０１に区画する。
【００３２】
この第一の空間３００には吸込口５００と吹出口５０１並びに羽根車５０２と、この羽根車５０２を駆動するモータ５０３を備えた送風機５を内蔵する。そして、この吸込口５００はケーシング１の正面開口１００に整合する。この整合した吸込通路Ａを介してこの送風機５に外気等の空気を吸込む構成である。尚、この送風機５は、従来の構造と同様であり、吸込口５００より吸込んだ空気を通路５０４を介して羽根車５０２に導き、吹出口５０１より圧送する構成である。そして、空気を圧送する先の吐出通路は後述する。
【００３３】
また第二の空間３０１には吸音効果を達成するための迂回用の距離を確保するために略Ｌ字形の吐出通路８を設ける構成とし、この吐出通路８の吸込口８００を前記送風機５の吹出口５０１に連通するとともに、この吐出通路８の吐出口８０１を前記ケーシング１の側面開口１０１に整合する。この吐出通路８を介して送風機５と外部とを連通する。そして、この吐出通路８の内周面８ａには吸音材２を繞設するが、その一部は、ケーシング１の吸音材２を兼ねる。
【００３４】
また図示しないが、この吐出通路８の吐出口８０１には分岐ダクトが連結される。またケーシング１の隅部に三角形状の緩衝部材を設けること、この緩衝部材に吸音材を付設すること等が理想と考えられる。またこの吐出通路８の内側隅部に、拡張スペース８０２を形成し、空気（高圧空気）のスムーズな流れと、吸音（消音効果）が図れるものと考えられる。
【００３５】
そこで、風の流れと吸音効果を説明すると、ケーシング１の正面開口１００を通過する際に吸音材２で吸音される→通路５０４→羽根車５０２に至り、この羽根車５０２を介して強制送風される→送風機５の吹出口５０１→吸音効果を達成するための迂回用の距離を備えた吐出通路８の吸込口８００→この吐出通路８を通過する際に吸音材２で吸音される→吐出通路８の吐出口８０１→ダクトに到る。尚、図中矢印は、空気の流れを示す。
【００３６】
尚、図３の例は、ケーシング１の正面開口１００に上下方向に偏平の吸込口９００を備えた吸込通路９を付設し、この吸込通路９の内壁面９ａに吸音材２を設ける。この構成を採用し、この吸込通路９を介して外気を吸込むことで、この送風機５の吸込み側で発生する騒音をなくし得る構成であって、かなりの吸音が期待できる。この例における風の流れは、前述の流れに、この吸込通路９の流れが先鞭を勤める。
【００３７】
図中Ｅは洗車機で、この洗車機Ｅは、図３に示す如く、門型の移動フレーム２０と、ノズル２１と、車輪２２を有する。また図中２３は床面に設けたレールを示す。
【図面の簡単な説明】
【００３８】
【図１】図１は送風機全体の実施例を示した正面図
【図２】図２はその側面図
【図３】図３は他の実施例の側面図
【図４】図４は洗車機に本発明を採用した一例を示す模式図
【符号の説明】
【００３９】
１  ケーシング
１ａ  内壁面
１００  正面開口
１０１  側面開口
２  吸音材
３  空間
３００  第一の空間
３０１  第二の空間
５  送風機
５００  吸込口
５０１  吹出口
５０２  羽根車
５０３  モータ
５０４  通路
８  吐出通路
８ａ  内周面
８００  吸込口
８０１  吐出口
８０２  拡張スペース
９  吸込通路
９ａ  内壁面
９００  吸込口
２０  移動フレーム
２１  ノズル
２２  車輪
２３  レール
Ａ  吸込通路
Ｅ  洗車機
【図１】
0004829556.tif 000002
【図２】
0004829556.tif 000003
【図３】
0004829556.tif 000004
【図４】
0004829556.tif 000005